(57)【要約】【課題】ヒンジ部を有さないバッテリターミナル用カバーによってバッテリターミナル構造部を開閉自在に覆い、ヒンジ部の劣化や破損による取付けガタの発生やカバー紛失を防止して、絶縁性を確保すると共にバッテリターミナル構造部を大きく開放してメンテナンス性を向上させることができるバッテリターミナル用カバーを提供する。【解決手段】バッテリターミナル用カバー３０は、バッテリ１１に設けられたバッテリポスト１２と、バッテリポスト１２に連結されるバッテリ端子１３と、バッテリ直付けヒューズユニット１４と、を有するバッテリターミナル構造部１０を覆う。バッテリ直付けヒューズユニット１４は、略水平方向に延設された支持軸２６を備える。また、バッテリターミナル用カバー３０の側壁３３には、第１案内溝３７と、連接点Ｊを介して第１案内溝３７から連続形成される第２案内溝３８とからなる案内溝４０を備え、案内溝４０には支持軸２６が摺動自在に嵌合する。【選択図】図１
2010083164.tif 000002
【特許請求の範囲】
【請求項１】
バッテリに設けられたバッテリポストと、前記バッテリポストに連結されるポスト連結部およびスタッドボルトを備えるバッテリ端子と、前記バッテリの外形に沿って配置されて前記スタッドボルトに連結されるバッテリ直付けヒューズユニットと、を有するバッテリターミナル構造部を覆うバッテリターミナル用カバーであって、
前記バッテリ直付けヒューズユニットは、略水平方向に延設された支持軸を備え、
前記バッテリターミナル用カバーは、略長方形板状の天井部、および前記天井部から立設される一対の側壁、前壁および後壁とからなる角筒状周壁を有する箱状に形成され、
前記側壁には、第１案内溝と、連接点を介して前記第１案内溝から連続形成される第２案内溝とからなる、前記支持軸が摺動自在に嵌合する案内溝が形成され、
前記支持軸が、前記第１案内溝と前記第２案内溝との前記連接点から離間した前記第１案内溝の第１ポジションに位置するとき、前記バッテリターミナル用カバーと前記バッテリ直付けヒューズユニットとが当接して前記バッテリターミナル用カバーの回動が阻止されて、前記バッテリターミナル用カバーが前記バッテリターミナル構造部を覆うカバー位置に保持され、
前記バッテリターミナル用カバーを前記支持軸で案内しながら前記第１案内溝の形状に沿わせて移動させて前記支持軸が前記連接点に位置するとき、前記バッテリターミナル用カバーと前記バッテリ直付けヒューズユニットとの当接を解除して前記バッテリターミナル用カバーの回動を許容して前記バッテリターミナル構造部を開放可能とし、
回動された前記バッテリターミナル用カバーを前記支持軸で案内しながら前記第２案内溝の形状に沿わせて移動させて前記支持軸が前記連接点から離間した前記第２案内溝の第２ポジションに位置するとき、前記バッテリターミナル用カバーと前記バッテリとが当接して前記バッテリターミナル用カバーの回動が阻止されて、前記バッテリターミナル用カバーが前記バッテリターミナル構造部を開放する開放位置に保持されるようにした、
ことを特徴とするバッテリターミナル用カバー。
【請求項２】
前記案内溝は、前記第１案内溝と前記第２案内溝とが直角に交差する略Ｌ字型に形成されており、前記バッテリターミナル用カバーが前記支持軸を中心として略９０°回動可能とされる、
ことを特徴とする請求項１に記載したバッテリターミナル用カバー。
【請求項３】
前記バッテリターミナル用カバーは、合成樹脂によって一体成形される、
ことを特徴とする請求項１または請求項２に記載したバッテリターミナル用カバー。
【発明の詳細な説明】
【技術分野】
【０００１】
本発明は、バッテリターミナル用カバーに係り、より詳細には、車載されるバッテリのバッテリポストにバッテリ端子を介して接続されるバッテリ直付けヒューズユニットを、バッテリポストおよびバッテリ端子と共に覆って保護するバッテリターミナル用カバーの改良に関する。
【背景技術】
【０００２】
車載されるバッテリのバッテリポストに、バッテリ端子を介してバッテリ直付けヒューズユニットが接続された構成を有するバッテリターミナルがある。このバッテリターミナルには、バッテリターミナルと外部の部材間の絶縁性を確保するため、バッテリターミナルを覆う保護カバーが設けられている。従来の保護カバーとしては、固定用カバーと、ヒンジ部を介して固定用カバーに連結される開閉用カバーと、を備え、ヒンジ部を中心として開閉用カバーが開閉可能とされた保護カバーが知られている（特許文献１参照）。
【０００３】
特許文献１に記載の保護カバーは、保護カバーに設けられたロック用の凸部が、バッテリ直付けヒューズユニットの凹部に係合して固定され、主としてバッテリ直付けヒューズユニットを覆う固定用カバーと、ヒンジ部を介して固定用カバーに連続形成され、主としてバッテリ端子およびバッテリポストを覆う開閉用カバーとを備えたものであり、合成樹脂によって一体成形されている。
【特許文献１】特開２００２−２７００８２号公報
【発明の開示】
【発明が解決しようとする課題】
【０００４】
しかしながら、特許文献１に記載の保護カバーは、開閉用カバーが薄肉に形成されたヒンジ部を介して固定用カバーに連結されているので、ヒンジ部の強度が弱く、開閉用カバーの開閉に伴うヒンジ部の劣化によってガタが発生し、開閉用カバーの固定が不安定となる虞があった。また、極端な場合には、ヒンジ部が破断して、固定用カバーから分離した開閉用カバーを紛失する場合があり、バッテリターミナルの絶縁性が確保できなくなる可能性があった。また、バッテリターミナルのメンテナンスを行う際、開閉用カバーで覆われたバッテリ端子およびバッテリポストしか開放することができないため作業性し難く、作業効率が劣る問題点があった。
【０００５】
本発明は、上述した事情に鑑みてなされたものであり、その目的は、ヒンジ部を有さないバッテリターミナル用カバーによってバッテリターミナル構造部を開閉自在に覆い、ヒンジ部の劣化や破損による取付けガタの発生やカバー紛失を防止して、絶縁性を確保すると共にバッテリターミナル構造部を大きく開放してメンテナンス性を向上させることができるバッテリターミナル用カバーを提供することにある。
【課題を解決するための手段】
【０００６】
前述した目的を達成するため、本発明に係るバッテリターミナル用カバーは、下記（１）〜（３）を特徴としている。
（１）  バッテリに設けられたバッテリポストと、前記バッテリポストに連結されるポスト連結部およびスタッドボルトを備えるバッテリ端子と、前記バッテリの外形に沿って配置されて前記スタッドボルトに連結されるバッテリ直付けヒューズユニットと、を有するバッテリターミナル構造部を覆うバッテリターミナル用カバーであって、
前記バッテリ直付けヒューズユニットは、略水平方向に延設された支持軸を備え、
前記バッテリターミナル用カバーは、略長方形板状の天井部、および前記天井部から立設される一対の側壁、前壁および後壁とからなる角筒状周壁を有する箱状に形成され、
前記側壁には、第１案内溝と、連接点を介して前記第１案内溝から連続形成される第２案内溝とからなる、前記支持軸が摺動自在に嵌合する案内溝が形成され、
前記支持軸が、前記第１案内溝と前記第２案内溝との前記連接点から離間した前記第１案内溝の第１ポジションに位置するとき、前記バッテリターミナル用カバーと前記バッテリ直付けヒューズユニットとが当接して前記バッテリターミナル用カバーの回動が阻止されて、前記バッテリターミナル用カバーが前記バッテリターミナル構造部を覆うカバー位置に保持され、
前記バッテリターミナル用カバーを前記支持軸で案内しながら前記第１案内溝の形状に沿わせて移動させて前記支持軸が前記連接点に位置するとき、前記バッテリターミナル用カバーと前記バッテリ直付けヒューズユニットとの当接を解除して前記バッテリターミナル用カバーの回動を許容して前記バッテリターミナル構造部を開放可能とし、
回動された前記バッテリターミナル用カバーを前記支持軸で案内しながら前記第２案内溝の形状に沿わせて移動させて前記支持軸が前記連接点から離間した前記第２案内溝の第２ポジションに位置するとき、前記バッテリターミナル用カバーと前記バッテリとが当接して前記バッテリターミナル用カバーの回動が阻止されて、前記バッテリターミナル用カバーが前記バッテリターミナル構造部を開放する開放位置に保持されるようにした、
こと。
（２）  前記案内溝は、前記第１案内溝と前記第２案内溝とが直角に交差する略Ｌ字型に形成されており、前記バッテリターミナル用カバーが前記支持軸を中心として略９０°回動可能とされる、
こと。
（３）  前記バッテリターミナル用カバーは、合成樹脂によって一体成形される、
こと。
【０００７】
上記（１）の構成のバッテリターミナル用カバーによれば、ヒンジ部を有さないので、ヒンジ部の劣化や破損による取付けガタの発生や、カバーの紛失を防止して絶縁性を確実に確保することができる。また、バッテリターミナル用カバーの回動は、一箇所でのみ許容され、その他の位置では阻止されるので、バッテリターミナル用カバーがバッテリターミナル構造部を覆うカバー位置と、バッテリターミナル構造部を開放する開放位置で保持することができ、カバー機能を強化すると共に、メンテナンス作業を容易に行うことができる。
また、上記（２）の構成のバッテリターミナル用カバーによれば、バッテリターミナル構造部を大きく開放することができ、メンテナンス性を向上させることができる。
また、上記（３）の構成のバッテリターミナル用カバーによれば、合成樹脂によって成形しても、ヒンジ部を有さないので使用可能な合成樹脂の選択範囲が広がる。
【発明の効果】
【０００８】
本発明によれば、ヒンジ部の劣化や破損による取付けガタの発生や、カバーの紛失を防止してバッテリターミナル構造部の絶縁性を確実に確保すると共に、メンテナンス性を向上させることができる。
【０００９】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１０】
以下、本発明に係る好適な実施形態を図面に基づいて詳細に説明する。
図１はバッテリターミナル構造部に取り付けられた本発明に係るバッテリターミナル用カバーが開放された状態を示す斜視図、図２は図１に示すバッテリターミナル用カバーの側面図、図３はターミナル端子およびバッテリ直付けヒューズユニットの斜視図である。なお、以下の説明においては、バッテリに取り付けられた状態を基準として上下および左右を定義する。
【００１１】
図１に示すように、バッテリターミナル構造部１０は、バッテリ１１の上面に突設されたバッテリポスト１２と、バッテリ端子１３と、バッテリ直付けヒューズユニット（以下、単にヒューズユニットとも言う）１４と、を備える。バッテリターミナル構造部１０の外周面は、バッテリターミナル用カバー３０によって覆われている。
【００１２】
図３も参照して、バッテリ端子１３は、バッテリ１１の上面に突設されたバッテリポスト１２に締結されるポスト連結部１５と、このポスト連結部１５の一側に延設されたユニット接続用の板部１６とを具備しており、ユニット接続用の板部１６には、後述するバッテリ接続板部２０などをねじ止めするためのスタッドボルト１７が植設されている。
【００１３】
ヒューズユニット１４は、バッテリ端子１３と図示しない電装回路とを導通接続するためのものであり、ヒューズ（図示せず）を有する導電金属製の板状のヒューズエレメント１８と、ヒューズエレメント１８がインサート成型された絶縁性のヒューズハウジング１９とで構成されている。
【００１４】
ヒューズエレメント１８は、略Ｌ字型に形成された一枚の導電性金属板であり、図３において水平に配置されてバッテリ端子１３に導通接続されるバッテリ接続板部２０と、垂直に配置されて図示しない電装回路に導通接続される回路接続板部（図示せず）と、を有する。バッテリ接続板部２０の一端（図３中左端）には、バッテリ端子１３のスタッドボルト１７が挿通される貫通孔（図示せず）が形成されている。また、バッテリ接続板部２０の他端（図３中右端）には、１対のスタッドボルト２２Ａ、２２Ｂが植設されており、図示しないスタータモータ端子およびオルタネータ端子が締結される。
【００１５】
ヒューズハウジング１９は、ヒューズエレメント１８がインサート成型され、中間部から略９０°屈曲する略Ｌ字型に形成されており、図３において水平に配置される第１ハウジング２３と、垂直に配置される第２ハウジング２４とを備える。第１ハウジング２３は、バッテリ接続板部２０の貫通孔（図示せず）にバッテリ端子１３のスタッドボルト１７が挿通され、ナット２１が螺合されてバッテリ端子１３に固定されている。これにより、第１ハウジング２３はバッテリ端子１３を介してバッテリポスト１２に固定される。第２ハウジング２４は、略９０゜に屈曲された状態で、バッテリ１１の側壁面に沿って垂設されている。第２ハウジング２４の最上面２７ａから立設する１対の縦壁２５には、断面円形の支持軸２６が水平方向に突出形成されている。
【００１６】
図２に示すように、本実施形態のバッテリターミナル用カバー３０は、略長方形板状の天井部３１、および天井部３１の４辺から垂下された角筒状周壁３２を有し、下面が開放された箱状に形成されている。角筒状周壁３２は、１対の側壁３３と、１対の側壁３３の前端同士を連結する前壁３４、および１対の側壁３３の後端同士を連結する後壁３５とからなる。バッテリターミナル用カバー３０は、電気的絶縁特性を有する合成樹脂を射出成形することにより形成される。
【００１７】
１対の側壁３３は、ヒューズハウジング１９に取り付けられたとき第２ハウジング２４の側面を覆うように、一端側（図２において右側）が下方に延設された垂下部３６が設けられた略Ｌ字型に形成されている。また、バッテリターミナル用カバー３０をヒューズハウジング１９に取り付けたとき、支持軸２６に対応する位置である、図２において垂下部３６の右下方角部近傍には、第１案内溝３７と第２案内溝３８とからなる案内溝４０が形成されている。第１案内溝３７は垂直方向に形成され、第２案内溝３８は第１案内溝３７の下端部から水平方向前方に連続して形成されている。即ち、第１案内溝３７と第２案内溝３８とは、第１案内溝３７の下端部と第２案内溝３８の右端部とが連接点Ｊを介して連続し、略Ｌ字型に形成されている。
【００１８】
後壁３５の高さは垂下部３６を除く側壁３３の高さと略同じであり、後壁３５の下端部は、後述するように第２ハウジング２４の上面２７ｂ（垂下部３６の垂直方向の長さ分、最上面２７ａよりも垂直方向下方に位置する面）と当接してバッテリターミナル用カバー３０の回動を阻止する当接部３９として機能する。また、天井部３１の内面側には、スタッドボルト２２Ａ、２２Ｂを絶縁するための仕切り壁４１と、バッテリターミナル用カバー３０の高さ方向の位置決めをする位置規制リブ４２とが形成されている（図１参照）。
【００１９】
バッテリターミナル用カバー３０は、１対の側壁３３を互いに離間する方向に押し広げながら第２ハウジング２４の一対の縦壁２５を挿入し、案内溝４０に支持軸２６を嵌合させてヒューズユニット１４に組み付けられる。これにより、バッテリターミナル用カバー３０は、嵌合する支持軸２６に案内されて第１案内溝３７および第２案内溝３８に沿って移動可能となっている。
【００２０】
次に、図４から図７に基づいてバッテリターミナル用カバーの作用を説明する。図４（ａ）〜（ｅ）はバッテリに装着されたバッテリターミナル用カバーが開く状態を順に示す斜視図、図５はカバー位置にあるバッテリターミナル用カバーが、第１案内溝に案内されて上方に移動して開放準備された状態を示す要部側面図、図６はバッテリターミナル用カバーが支持軸を中心として回動してバッテリターミナル構造部が開放される状態を示す要部側面図、図７は支持軸を中心として略９０°回動したバッテリターミナル用カバーが、第２案内溝に案内されて下方に移動して開放位置で保持される状態を示す要部側面図である。
【００２１】
図４（ａ）および図５に破線で示すように、バッテリターミナル用カバー３０がカバー位置にあるとき、案内溝４０に嵌合する支持軸２６は、第１案内溝３７と第２案内溝３８との連接点Ｊから離間した第１案内溝３７上部の第１ポジションＰ１に位置する。このとき、当接部３９は第２ハウジング２４の上面２７ｂに当接し、または僅かな隙間Ｃを介して対向して、バッテリターミナル用カバー３０の回動が阻止されており、バッテリターミナル用カバー３０は、バッテリターミナル構造部１０を覆うカバー位置で保持されてバッテリターミナル構造部１０を保護する。
【００２２】
ここで、図４（ｂ）および図５に実線で示すように、バッテリターミナル用カバー３０を支持軸２６で案内しながら、第１案内溝３７の形状に沿わせて上方に引き上げ、支持軸２６を第１案内溝３７と第２案内溝３８との連接点Ｊに位置させる。これにより、バッテリターミナル用カバー３０の当接部３９は、第２ハウジング２４の上面２７ｂから離間し、回動が許容された状態となる。
【００２３】
次いで、図４（ｃ）および図６に示すように、バッテリターミナル用カバー３０を、連接点Ｊに位置する支持軸２６を中心として、図６に破線で示す位置から実線で示す位置まで略９０°時計方向に回転させる。これにより、バッテリターミナル構造部１０、具体的には、バッテリポスト１２、バッテリ端子１３、およびバッテリ直付けヒューズユニット１４の上面（１対のスタッドボルト２２Ａ、２２Ｂ）が外部に露出する（図１も参照）。
【００２４】
そして、バッテリターミナル用カバー３０を、図７に破線で示す位置から実線で示す位置まで、支持軸２６で案内しながら第２案内溝３８の形状に沿わせて押し下げ、支持軸２６を連接点Ｊから離間した第２案内溝３８の第２ポジションＰ２に位置させる。このとき、バッテリターミナル用カバー３０の後壁３５の下端部（当接部３９）が、バッテリ１１の側壁１１ａに僅かな隙間で対向するので、バッテリターミナル用カバー３０の回動が阻止されて、開放位置で保持される。
【００２５】
上記したように、本発明のバッテリターミナル用カバー３０によれば、ヒンジ部を有さないので、ヒンジ部の劣化や破損による取付けガタの発生や、カバーの紛失が生じる可能性は皆無であり、バッテリターミナル構造部１０の絶縁性を確実に確保することができる。また、合成樹脂によってバッテリターミナル用カバー３０を形成する場合、使用可能な合成樹脂の選択範囲が広がる。
【００２６】
バッテリターミナル用カバー３０は、所定の位置でのみ開閉可能にされると共に、バッテリターミナル構造部１０を覆うカバー位置と、バッテリターミナル構造部１０を開放する開放位置とに保持することができ、カバー機能が強化されると共に、メンテナンス作業中におけるバッテリターミナル用カバー３０の脱落が防止されてメンテナンスを容易に行うことができる。
【００２７】
更に、バッテリターミナル用カバー３０が開放位置にあるとき、バッテリターミナル構造部１０の全面、即ち、従来の保護カバーでは開放することができなかったバッテリ端子１３のユニット接続用の板部１６からバッテリ直付けヒューズユニット１４の上面（１対のスタッドボルト２２Ａ、２２Ｂ）まで広い範囲を開放することができ、メンテナンスの作業効率が向上する。
【００２８】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【図面の簡単な説明】
【００２９】
【図１】バッテリターミナルに取り付けられた本発明に係るバッテリターミナル用カバーが開放された状態を示す斜視図である。
【図２】図１に示すバッテリターミナル用カバーの側面図である。
【図３】ターミナル端子およびバッテリ直付けヒューズユニットの斜視図である。
【図４】（ａ）〜（ｅ）はバッテリに装着されたバッテリターミナル用カバーが開く状態を順に示す斜視図である。
【図５】カバー位置にあるバッテリターミナル用カバーが、第１案内溝に案内されて上方に移動して開放準備される状態を示す要部側面図である。
【図６】バッテリターミナル用カバーが支持軸を中心として回動してバッテリターミナル構造部が開放される状態を示す要部側面図である。
【図７】支持軸を中心として略９０°回動したバッテリターミナル用カバーが、第２案内溝に案内されて下方に移動して開放位置で保持される状態を示す要部側面図である。
【符号の説明】
【００３０】
１０  バッテリターミナル構造部
１１  バッテリ
１２  バッテリポスト
１３  バッテリ端子
１４  バッテリ直付けヒューズユニット
１５  ポスト連結部
１７  スタッドボルト
２６  支持軸
３０  バッテリターミナル用カバー
３１  天井部
３２  角筒状周壁
３３  側壁
３４  前壁
３５  後壁
３７  第１案内溝
３８  第２案内溝
４０  案内溝
Ｊ  連接点
Ｐ１  第１ポジション
Ｐ２  第２ポジション
【図１】
2010083164.tif 000003
【図２】
2010083164.tif 000004
【図３】
2010083164.tif 000005
【図４】
2010083164.tif 000006
【図５】
2010083164.tif 000007
【図６】
2010083164.tif 000008
【図７】
2010083164.tif 000009